(57)【特許請求の範囲】
【請求項１】
共通の熱源機と、複数の空調個所の放熱機器に至る複数系統の温水又は冷水供給系統と、夫々の供給系統に対応するリモートコントローラと供給制御弁とを有する空調システムにおいて、リモートコントローラは測定温度と設定温度との差に応じた信号を発する構成とすると共に、制御手段は自体に備えたタイマーにより生成する周期毎に、動作中の全てのリモートコントローラの信号を読み取って、その信号に応じて各供給制御弁の開弁時間の制御を行うこととし、この供給制御弁の開弁時間の制御は、開とする時点を周期の始点に揃えて行うと共に、リモートコントローラの信号の読み取りを、その周期の始点に行うことを特徴とする温水又は冷水循環式空調システムにおける温水又は冷水の供給制御方法
【請求項２】
共通の熱源機と、複数の空調個所の放熱機器に至る複数系統の温水又は冷水供給系統と、夫々の供給系統に対応するリモートコントローラと供給制御弁とを有する空調システムにおいて、リモートコントローラは測定温度と設定温度との差に応じた信号を発する構成とすると共に、制御手段は自体に備えたタイマーにより生成する周期毎に、動作中の全てのリモートコントローラの信号を読み取って、その信号に応じて各供給制御弁の開弁時間の制御を行うこととし、この供給制御弁の開弁時間の制御は、閉とする時点を周期の終点に揃えて行うと共に、リモートコントローラの信号の読み取りを、その周期の始点に行うことを特徴とする温水又は冷水循環式空調システムにおける温水又は冷水の供給制御方法
【請求項３】
共通の熱源機と、複数の空調個所の放熱機器に至る複数系統の温水又は冷水供給系統と、夫々の供給系統に対応するリモートコントローラと供給制御弁とを有する空調システムにおいて、リモートコントローラは測定温度と設定温度との差に応じた信号を発する構成とすると共に、制御手段は自体に備えたタイマーにより生成する周期毎に、動作中の全てのリモートコントローラの信号を読み取って、その信号に応じて各供給制御弁の開弁時間の制御を行うこととし、この供給制御弁の開弁時間の制御は、閉とする時点を周期の終点に揃えて行うと共に、リモートコントローラの信号の読み取りを、一周期前の供給制御弁の開時点において行うことを特徴とする温水又は冷水循環式空調システムにおける温水又は冷水の供給制御方法
【請求項４】
動作を停止していたリモートコントローラが動作を開始した場合には、制御手段は、その系統における測定温度が設定温度を満たしているか、否かのみを判断し、満たしていない場合にはその時点から周期の終点まで供給制御弁を開とすると共に、以上の場合には次の周期の始点までは供給制御弁を閉とすることを特徴とする請求項１〜３までのいずれか１項に記載の温水又は冷水循環式空調システムにおける温水又は冷水の供給制御方法
【請求項５】
動作を停止していたリモートコントローラが動作を開始した場合には、制御手段は、その時点から周期の終点までの残時間を求めると共に、リモートコントローラの信号により開弁時間を求め、残時間の一周期に対する割合で開弁時間を案分して開弁制御を行うことを特徴とする請求項１〜３までのいずれか１項に記載の温水又は冷水循環式空調システムにおける温水又は冷水の供給制御方法
【発明の詳細な説明】
【０００１】
【発明の属する技術分野】
本発明は、温水又は冷水循環式空調システムにおける温水又は冷水の供給制御方法に関するものである。
【０００２】
【従来の技術】
図５は共通の熱源機に対して複数の空調個所に至る複数系統の温水（冷水）供給系統を有する空調システムの一例を示すもので、この空調システムは、温水配管を施した温水マットを床の下側に敷設して部屋の暖房を行う温水床暖房システムである。
符号１は共通の熱源機であり、この共通の熱源機１に対して夫々の空調個所の温水マット２に至る複数の温水供給系統、即ち系統１，２，…，ｎを構成しており、夫々の系統に弁３を設けている。また夫々の系統に対してリモートコントローラ４を設けている。
【０００３】
このような温水床暖房システムにおいて、熱源機１が１台の場合には、各温水供給系統毎に温水の温度を調節することは困難であるため、室温制御方法として、例えば図６に示すような方法を用いている。
この方法では、リモートコントローラ４は測定温度と設定温度との差に応じた信号、例えば温度差が大きいほど大きな値となる信号を、起動時点から始めて一定時間τ1毎に発し、一方、熱源機１側の制御手段は、一定時間τ1毎に発せられるリモートコントローラ４の信号を読み取り、その信号に応じて各供給系統の供給制御弁３の開弁時間τ2を求めて、各周期τ1毎に、開弁時間τ2だけ供給制御弁３を開として温水を間欠的に供給する。即ち、開弁時間τ2は、上記温度差が大きいほど長くなる。
【０００４】
【発明が解決しようとする課題】
制御手段におけるリモートコントローラの信号の読み取りは、リモートコントローラから信号が発せられた時点であり、この時点は、各リモートコントローラ毎に異なる。従って、共通の熱源機に対して複数の供給系統を有する場合には、図７に示すように、各供給系統のリモートコントローラから制御手段に、夫々勝手な時点において信号が発せられ、夫々の信号に応じて上述したように供給制御弁が開閉制御されるので、夫々の弁の開閉に対応して熱源機が頻繁に発停を繰り返す場合が生じ、熱源機の耐久性が低下してしまう。
本発明はこのような課題を解決することを目的とするものである。
【０００５】
【課題を解決するための手段】
上述した課題を解決するために本発明では、共通の熱源機と、複数の空調個所の放熱機器に至る複数系統の温水又は冷水供給系統と、夫々の供給系統に対応するリモートコントローラと供給制御弁とを有する空調システムにおいて、リモートコントローラは測定温度と設定温度との差に応じた信号を発する構成とすると共に、制御手段は自体に備えたタイマーにより生成する周期毎に、動作中の全てのリモートコントローラの信号を読み取って、その信号に応じて各供給制御弁の開弁時間の制御を行うこととし、この供給制御弁の開弁時間の制御は、下記の具体的な方法により行うようにした温水又は冷水循環式空調システムにおける温水又は冷水の供給制御方法を提案する。
【０００６】
即ち、本発明では、まず上記の制御方法において、供給制御弁の開弁時間の制御は、開とする時点を周期の始点に揃えて行うと共に、リモートコントローラの信号の読み取りを、その周期の始点に行うこととすることができる。
【０００７】
また本発明では、上記の制御方法において、供給制御弁の開弁時間の制御は、閉とする時点を周期の終点に揃えて行うと共に、リモートコントローラの信号の読み取りを、その周期の始点に行うこととすることができる。
【０００８】
また本発明では、上記の制御方法において、供給制御弁の開弁時間の制御は、閉とする時点を周期の終点に揃えて行うと共に、リモートコントローラの信号の読み取りを、一周期前の供給制御弁の開時点において行うこととすることができる。
【０００９】
また本発明では、以上の制御方法において、動作を停止していたリモートコントローラが動作を開始した場合には、制御手段は、その系統における測定温度が設定温度を満たしているか、否かのみを判断し、満たしていない場合にはその時点から周期の終点まで供給制御弁を開とすると共に、以上の場合には次の周期の始点までは供給制御弁を閉とすることを提案する。
【００１０】
または、本発明では、以上の制御方法において、動作を停止していたリモートコントローラが動作を開始した場合には、制御手段は、その時点から周期の終点までの残時間を求めると共に、リモートコントローラの信号により開弁時間を求め、残時間の一周期に対する割合で開弁時間を案分して開弁制御を行うことを提案する。
【００１１】
以上の本発明によれば、複数の供給系統の供給制御弁が開となる時点を重なり合わせることができるため、熱源機の発停回数を低減することができ、従って熱源機の耐久性が向上する。
【００１２】
【発明の実施の形態】
次に本発明の実施の形態を、図１〜図４のタイミングチャートを参照して説明する。
本発明が適用する温水又は冷水循環式空調システムは、上述したとおり、共通の熱源機と、複数の空調個所の放熱機器に至る複数系統の温水又は冷水供給系統と、夫々の供給系統に対応するリモートコントローラと供給制御弁とを有するもので、リモートコントローラは測定温度と設定温度との差に応じた信号を発する構成である。そして、本発明では、制御手段は自体に備えたタイマーにより生成する周期τ1毎に、動作中の全てのリモートコントローラの信号を読み取って、その信号に応じて各供給制御弁の開弁時間τ2の制御を行うものである。
【００１３】
まず図１、図２は供給制御弁の開弁時間τ2の制御を、供給制御弁を開とする時点を揃えて行うもので、リモートコントローラの信号の読み取りは、その周期の始点に行う。即ち、制御手段は、各リモートコントローラの信号を読み取り、供給制御弁を開とすると共に、夫々の各リモートコントローラの信号から各供給系統の供給制御弁の開弁時間τ2を求め、上記始点から夫々の開弁時間τ2を経過した時点で夫々の供給制御弁を閉とする。
一方、図１、図２の制御において、供給系統の起動時には、次のような制御を行う。
【００１４】
まず、図１のものでは、動作を停止していた供給系統１，２を起動する際、リモートコントローラが動作を開始した場合には、制御手段は、その系統における測定温度が設定温度を満たしているか、否かのみを判断し、満たしていない場合にはその時点から周期の終点まで供給制御弁を開とすると共に、以上の場合には次の周期の始点までは供給制御弁を閉とする。すなわち、図１の例では、供給系統１をリモートコントローラにより起動した時点において、その系統における測定温度が設定温度以下のため、供給制御弁は系統の起動と同時に開となるが、供給系統２については、リモートコントローラにより起動した時点において、その系統における測定温度が設定温度以上のため、供給制御弁は次の周期までは閉状態が維持される。
【００１５】
一方、図２のものでは、動作を停止していた供給系統１，２を起動する際、リモートコントローラが動作を開始した場合には、制御手段は、その時点から周期の終点までの残時間τ3を求めると共に、リモートコントローラの信号により開弁時間を求め、残時間の一周期に対する割合で開弁時間を案分して開弁制御を行う。即ち、求めた開弁時間がτ2、残時間をτ3であった場合においては、制御手段は次式により開弁時間を案分して実際の開弁時間を求めて開弁制御を行う。
実際の開弁時間τ4＝τ2×τ3／τ1
【００１６】
以上に説明した図１、図２のものでは、複数の供給系統の供給制御弁が開となる時点を揃えて、夫々の開弁時間を重なり合わせることができるため、熱源機の発停回数を低減することができる。
【００１７】
次に図３に示すものは、供給制御弁の開弁時間τ2の制御を、供給制御弁を閉とする時点を揃えて行うもので、リモートコントローラの信号の読み取りは、図１、図２の場合と同様に、その周期の始点に行う。
この方法では、制御手段は各リモートコントローラの信号を読み取り、夫々の各リモートコントローラの信号から各供給系統の供給制御弁の開弁時間τ2を求めると共に、この開弁時間τ2を確保して、しかも周期の終点に閉とするための供給制御弁の開時点を逆算して求める。こうして制御手段は、夫々の供給制御弁を、求めた開時点において順次開とし、夫々の開弁時間τ2が経過する周期の終点まで開状態を維持する。
【００１８】
このような制御方法では、夫々のリモートコントローラの信号の値が異なっている場合には、各供給系統の供給制御弁は順次開となり、従って熱源機の負荷は時間が立つにつれて大きくなって行くので、熱源機の発停性能上、温水温度の立上り時間の短縮が計れる。
【００１９】
このような制御方法において、供給系統の起動時には、上述した図１、図２の示すような方法を適用することができる。尚、図１と同様な方法を適用した場合の動作は、上述した説明により自明であるので、ここでの説明は省略する。
即ち、図３では、図２と同様な方法を適用しており、動作を停止していた供給系統１，２を起動する際、リモートコントローラが動作を開始した場合には、制御手段は、その時点から周期の終点までの残時間τ3を求めると共に、リモートコントローラの信号により開弁時間を求め、残時間の一周期に対する割合で開弁時間を案分して開弁制御を行う。即ち、求めた開弁時間がτ2、残時間をτ3であった場合においては、制御手段は、式（実際の開弁時間τ4＝τ2×τ3／τ1）により開弁時間を案分して実際の開弁時間τ4を求め、この開弁時間τ4を確保して、しかも周期の終点に閉とするための供給制御弁の開時点を逆算して求め、こうして制御手段は、夫々の供給制御弁を、求めた開時点において順次開とし、夫々の開弁時間τ4が経過する周期の終点まで開状態を維持する。
【００２０】
次に図４に示すものは、供給制御弁の開弁時間τ2の制御を、供給制御弁を閉とする時点を揃えて行うことは図３の場合と同様であるが、リモートコントローラの信号の読み取りは、一周期前の供給制御弁の開時点において行う。
即ち、この方法では、制御手段は、各周期τ1の始点においては、その前の周期においてリモートコントローラから読み取った信号により、予め、各供給系統の供給制御弁の開弁時間τ2を求めており、この開弁時間τ2を確保して、しかも周期の終点に閉とするための供給制御弁の開時点を逆算して求める。こうして制御手段は、夫々の供給制御弁を、求めた開時点において順次開とし、夫々の開弁時間τ2が経過する周期の終点まで開状態を維持する。そして制御手段は、夫々の供給制御弁の開時点においてリモートコントローラの信号を読み取り、次の周期τ1における開弁時間τ2，τ2′を求める。
【００２１】
上述した図３に示す制御方法では、リモートコントローラの信号の読み取りが各供給系統の供給制御弁の閉時点において行われることになり、即ち、各供給系統に温水等が供給されて部屋が暖められた直後にリモートコントローラの信号の読み取りが行われるので、室温を高く読みがちになり、従って実際に必要な温度よりも低い温度で室温が制御されて、快適性を損なわれる可能性があるが、図４に示す制御方法では、温水等が供給される時点であるので、このような不都合は全く生じない。
【００２２】
このような制御方法において、供給系統の起動時には、上述した図１、図２の示すような方法を適用することができる。尚、図１と同様な方法を適用した場合の動作は、上述した説明により自明であるので、ここでの説明は省略し、図２又は図３に示すような方法を適用した例を図４に示す。
尚、この図４の場合において、供給系統の起動時には、その前の周期におけるリモートコントローラの信号のデータがないため、その周期の始点において読み取ったリモートコントローラの信号使用して上記開弁時間τ4、及びこの開弁時間τ4を確保して、しかも周期の終点に閉とするための供給制御弁の開時点を逆算して求めれば良い。
【００２３】
以上の説明は、本発明の方法を温水床暖房システムに適用した例についての説明であるが、本発明は、このようなシステムに制限されるものではなく、その他の暖房システムはもとより、冷房システム、暖冷房システム等、熱源機と、あらゆる複数系統の室内機の組み合せにおけるリモートコントローラによる温水又は冷水の供給制御方法として適用できることは云うまでもない。
【００２４】
【発明の効果】
本発明は以上のとおりであるので、共通の熱源機に対して複数の空調個所に至る複数系統の温水（冷水）供給系統を有し、これらをリモートコントローラにより制御する構成の空調システムにおいて、熱源機の頻繁な発停を防ぐことができることから、熱源機の耐久性を向上することができるという効果がある。
【図面の簡単な説明】
【図１】  本発明の方法を適用した動作例を、図５に示す温水床暖房システムにつき適用した動作につき時系列で示すタイミングチャートである。
【図２】  本発明の方法を適用した他の動作例を、図５に示す温水床暖房システムにつき適用した動作につき時系列で示すタイミングチャートである。
【図３】  本発明の方法を適用した、更に他の動作例を、図５に示す温水床暖房システムにつき適用した動作につき時系列で示すタイミングチャートである。
【図４】  本発明の方法を適用した、更に他の動作例を、図５に示す温水床暖房システムにつき適用した動作につき時系列で示すタイミングチャートである。
【図５】  本発明を適用する空調システムの一例として温水床暖房システムの構成を概念的に示す系統図である。
【図６】  図５のシステムでの従来の室温制御方法における温水の供給制御の動作を示すタイミングチャートである。
【図７】  図６の方法を用いた場合の不都合な点を示すタイミングチャートである。
【符号の説明】
１                    熱源機
２                    温水マット
３                    弁
４                    リモートコントローラ
【図１】
0003894397.tif 000002
【図２】
0003894397.tif 000003
【図３】
0003894397.tif 000004
【図４】
0003894397.tif 000005
【図５】
0003894397.tif 000006
【図６】
0003894397.tif 000007
【図７】
0003894397.tif 000008